(57)【要約】【課題】  良好な開栓性を具備させる。【解決手段】  センターパネル部１１と、センターパネル部１１の外周縁部から径方向外方へ向けて立上がるチャック壁部１２と、チャック壁部１２の外周縁に連設され、その末端部が下方に折り曲げられたシーミングパネル部１３とを備え、センターパネル部１１の上面に、上方に向かって凸とされたリベット１４と、スコア１５ａにより画成された開口部１５とが形成され、開口部１５の上に一端部１６ａ側が重なるようにリベット１４に固着されたタブ１６を備える缶蓋１０であって、タブ１６の前記一端部１６ａと反対側の他端部１６ｂにおける端面１６ｄは、当該端面を正面から見たときの平面積が３０ｍｍ２以上で、かつ当該缶蓋１０の軸線方向における大きさが２ｍｍ〜５ｍｍとされている。【選択図】    図１
2006315747.tif 000002
【特許請求の範囲】
【請求項１】
中央部を占める円板状のセンターパネル部と、該センターパネル部の外周縁部から径方向外方へ向けて立上がるチャック壁部と、該チャック壁部の外周縁に連設され、その末端部が下方に折り曲げられたシーミングパネル部とを備え、前記センターパネル部の上面に、上方に向かって凸とされたリベットと、スコアにより画成された開口部とが形成され、前記開口部の上に一端部側が重なるように前記リベットに固着されたタブを備える缶蓋であって、
前記タブの前記一端部と反対側の他端部における端面は、当該端面を正面から見たときの平面積が３０ｍｍ２以上で、かつ当該缶蓋の軸線方向における大きさが２ｍｍ〜５ｍｍとされていることを特徴とする缶蓋。
【発明の詳細な説明】
【技術分野】
【０００１】
本発明は、缶体の開口端部に巻締められる缶蓋に関するものである。
【背景技術】
【０００２】
この種の缶蓋は一般に、例えば下記特許文献１に示されるように、中央部を占める円板状のセンターパネル部と、該センターパネル部の外周縁部から径方向外方へ向けて立上がるチャック壁部と、該チャック壁部の外周縁に連設され、その末端部が下方に折り曲げられたシーミングパネル部とを備え、前記センターパネル部の上面に、上方に向って凸とされたリベットと、スコアにより画成された開口部とが形成され、該開口部の上に一端部側が重なるように前記リベットに固着されたタブを備える概略構成とされている。
【０００３】
このように構成された缶蓋は、内容物が充填された有底筒状の缶体の開口端部に前記シーミングパネル部が巻き締められることにより、前記開口端部に固着されて、いわゆる缶が構成されている。そして、この缶は、前記タブの他端部を缶軸方向上方へ引き上げることにより、前記開口部をタブの前記一端部により缶軸方向下方へ向けて押圧し、前記スコアを破断させて前記開口部を開口させることによって、開栓されるようになっている。
【０００４】
ところで、この種の缶蓋においては、いわゆる振動漏れが発生することを防ぐために、リベットにタブを取り付ける（リベッティング）成形荷重の大きさを所定の大きさ確保して、タブをリベットに強固に固着することがなされている。ここで、振動漏れとは、缶蓋が、内容物の充填された缶体の開口端部に巻き締められた後に、この缶体が充填工場から店舗に輸送される過程において、この缶体に作用する振動によって、タブがリベットを支点として振動し、このタブの前記一端部側が前記開口部の表面に断続的に衝突することにより、この開口部を画成するスコアが疲労により破断して内容物が漏洩することをいう。
【０００５】
ところがこの場合、開栓時に、指を前記タブの他端部に大きな押付け力で押付けた状態で、該他端部を缶軸方向上方へ大きな引上げ力で引上げなくては開栓することができない、つまり良好な開栓性を阻害する大きな要因の一つになっていた。
【０００６】
そこで、リベッティング成形荷重を低下させずに振動漏れが発生することを防ぎつつ、良好な開栓性を具備させるための手段に対する要求が高まっている。このような手段として、従来から、タブの前記他端部の下面（センターパネル部の上面と対向する表面）側を、センターパネル部の上面から離間する方向に押圧して凹ませることにより、タブの前記他端部の下面とセンターパネル部の上面との間の隙間を拡げることがなされている。
【特許文献１】登録実用新案第２５０８６３７号公報
【発明の開示】
【発明が解決しようとする課題】
【０００７】
しかしながら、この缶蓋では、前記タブの他端部の厚さ（あるいはセンターパネル部の径方向外方へ向けて凸とされ、かつ厚さ方向に延びる曲面形状の曲率半径）が小さくなるので、この他端部に指を大きな押付け力で押付けた状態で、該他端部を大きな引上げ力で引上げるときに、この指に感じる痛さが強くなるため、やはり良好な開栓性を具備させることが困難であるという問題があった。
【０００８】
本発明は、このような事情を考慮してなされたもので、良好な開栓性を具備させることができる缶蓋を提供することを目的とする。
【課題を解決するための手段】
【０００９】
このような課題を解決して、前記目的を達成するために、本発明の缶蓋は、中央部を占める円板状のセンターパネル部と、該センターパネル部の外周縁部から径方向外方へ向けて立上がるチャック壁部と、該チャック壁部の外周縁に連設され、その末端部が下方に折り曲げられたシーミングパネル部とを備え、前記センターパネル部の上面に、上方に向かって凸とされたリベットと、スコアにより画成された開口部とが形成され、前記開口部の上に一端部側が重なるように前記リベットに固着されたタブを備える缶蓋であって、前記タブの前記一端部と反対側の他端部における端面は、当該端面を正面から見たときの平面積が３０ｍｍ２以上で、かつ当該缶蓋の軸線方向における大きさが２ｍｍ〜５ｍｍとされていることを特徴とする。
【００１０】
この場合、前記タブの前記一端部と反対側の他端部における端面は、当該端面を正面から見たときの平面積が３０ｍｍ２以上で、かつ当該缶蓋の軸線方向における大きさが２ｍｍ〜５ｍｍとされ、厚さが厚くされているので、この缶蓋が内容物の充填された缶体の開口端部に巻き締められた構成において、この缶体を開栓するときに、指をタブの前記他端部の端面に強く押付けた状態で、該他端部を大きな引上げ力で引上げたとしても、指に感ずる痛さを最小限に抑制することができる。したがって、缶体を開栓する際に、指をタブの前記他端部の端面に強く押付けた状態で、該他端部を大きな引上げ力で引上げることが可能になり、この缶蓋に良好な開栓性を具備させることができる。
【００１１】
ここで、前記タブの前記一端部と反対側の他端部における端面の、当該缶蓋の軸線方向における大きさが５ｍｍよりも大きくなると、この缶蓋が、一の缶蓋のセンターパネル部の上面と、他の缶蓋のセンターパネル部の下面とが対向するように、複数積み重ねられた状態で搬送される際に、他の缶蓋のセンターパネル部の下面と、一の缶蓋のタブとが接触して、当該積み重ねられた缶蓋の積み重ね長さが大きくなり、この缶蓋の製造工程において、これらの缶蓋の搬送性を阻害する、例えば前記積み重ねられた複数の缶蓋のいくつかが反転するおそれがある。なお、缶蓋が陽圧缶に用いられる場合には、陰圧缶に用いられる場合と比べて、前記複数積み重ねられた状態で搬送される缶蓋の個数が多いので、缶蓋の搬送性を阻害するという問題が顕著になる。したがって、この缶蓋が陽圧缶に用いられる場合には、この缶蓋の搬送性を阻害させることなく、良好な開栓性を具備させることができる。
【発明の効果】
【００１２】
本発明に係る缶蓋によれば、良好な開栓性が具備される缶蓋を提供することができる。
【発明を実施するための最良の形態】
【００１３】
以下、図面を参照し、この発明の実施の形態について説明する。図１に示す缶蓋１０は、アルミニウム若しくはアルミニウム合金により形成され、中央部を占める円板状のセンターパネル部１１と、該センターパネル部１１の外周縁に連設され下方に凹む環状凹部１７と、該環状凹部１７の外周縁に連設され径方向外方へ向けて立上がるチャック壁部１２と、該チャック壁部１２の外周縁に連設され、その末端部が下方に折り曲げられたシーミングパネル部１３とを備え、センターパネル部１１の上面に、上方に向かって凸とされたリベット１４と、スコア１５ａにより画成された開口部１５とが形成され、この開口部１５の上に一端部１６ａ側が重なるようにリベット１４に固着されたタブ１６を備える概略構成とされている。
【００１４】
タブ１６の他端部１６ｂには、このタブ１６の厚さ方向に開口した平面視矩形状のフィンガーホール１６ｃが形成されている。また、センターパネル部１１の上面における外周縁部において、タブ１６を挟んだ開口部１５の反対側に、少なくともタブ１６の前記他端部１６ｂにおける端面（以下、「押付け端面」という）１６ｄと接する位置に指かけ凹部１８が形成されている。
【００１５】
そして、本実施形態の缶蓋１０の押付け端面１６ｄは、缶蓋１０の平面視で、タブ１６の長手方向に対して直交する方向に延在している。また、缶蓋１０の平面視において、指かけ凹部１８のうち、タブ１６の押付け端面１６ｄと接する部分１８ａも、この端面１６ｄと同様に、タブ１６の長手方向に対して直交する方向に延在している。
【００１６】
本実施形態の押付け端面１６ｄは、この端面１６ｄを正面から見たときの平面積が３０ｍｍ２以上、好ましくは３０ｍｍ２以上７５ｍｍ２以下で、かつ当該缶蓋１０の軸線方向における大きさが２ｍｍ〜５ｍｍとされている。また、この端面１６ｄの正面視は、図２（ａ）に示すように、半楕円状とされており、センターパネル部１１の上面と対向する下面１６ｅが円弧形状とされ、この下面１６ｅと反対側の上面１６ｆが直線状とされている。さらに、この押付け端面１６ｄは平坦面とされ、缶蓋１０の軸線に対してこの缶蓋１０の径方向内方へ向けて１０°以下傾斜、または、缶蓋１０の軸線に対して傾斜していない、該軸線と平行に延在した構成とされている。
【００１７】
以上説明したように、本実施形態の缶蓋１０によれば、タブ１６の前記押付け端面１６ｄが、この端面１６ｄを正面から見たときの平面積が３０ｍｍ２以上で、かつ当該缶蓋１０の軸線方向における大きさが２ｍｍ〜５ｍｍとされ、厚さが厚くされているので、この缶蓋１０が内容物の充填された缶体の開口端部に巻き締められた構成において、この缶体１０を開栓するときに、指を前記押付け端面１６ｄに強く押付けた状態で、前記他端部１６ｂを大きな引上げ力で引上げたとしても、指に感ずる痛さを最小限に抑制することができる。したがって、缶体を開栓する際に、指を前記押付け端面１６ｄに強く押付けた状態で、該他端部１６ｂを大きな引上げ力で引上げることが可能になり、この缶蓋１０に良好な開栓性を具備させることができる。
【００１８】
ここで、タブ１６の前記押付け端面１６ｄの、当該缶蓋１０の軸線方向における大きさが５ｍｍよりも大きくなると、この缶蓋１０が、一の缶蓋１０のセンターパネル部１１の上面と、他の缶蓋１０のセンターパネル部１１の下面とが対向するように、複数積み重ねられた状態で搬送される際に、他の缶蓋１０のセンターパネル部１１の下面と、一の缶蓋１０のタブ１６とが接触して、当該積み重ねられた缶蓋１０の積み重ね長さが大きくなり、この缶蓋１０の製造工程において、これらの缶蓋１０の搬送性を阻害するおそれがある。
【００１９】
以上の作用効果についての検証試験を実施した。試験対象として、タブの前記押付け端面を正面から見たときのこの押付け端面の平面積、および缶蓋の軸線方向における押付け端面の大きさが異なる複数の缶蓋を形成し、これらの缶蓋をそれぞれ、内容物が充填された缶体の開口端部に各別に巻き締めた複数の缶体を採用した。
【００２０】
そして、これらの缶体それぞれを開栓するときに、これらを容易に開栓することができるか否かを調査した。この開栓性の調査については、それぞれの缶体について１０人に開栓してもらい、その結果、開栓し易かったか否かを聴き取ることにより評価した。そして、開栓し易かったと応えた人が５人以下の場合は×、５人より多い場合は○で評価した。
【００２１】
結果を図４に示す。この結果、タブの前記押付け端面を正面から見たときに、この押付け端面の平面積が３０ｍｍ２以上で、かつ当該缶蓋１０の軸線方向における大きさが２ｍｍ〜５ｍｍとされている場合には、良好な開栓性を具備させることができることが確認された。
【００２２】
なお、本発明の技術的範囲は前記実施の形態に限定されるものではなく、本発明の趣旨を逸脱しない範囲において種々の変更を加えることが可能である。例えば、前記押付け端面１６ｄを正面視した形状は前記実施形態に限られるものではなく、図２（ｂ）〜図２（ｄ）に示すような構成を採用してもよい。
すなわち、図２（ｂ）に示すように、前記押付け端面１６ｄを、長軸がセンターパネル部１１の上面と平行に延びるような楕円状に形成してもよい。
【００２３】
また、図２（ｃ）に示すように、前記押付け端面１６ｄの正面視において、センターパネル部１１の上面と対向する下面１６ｅを、その幅方向全域に亙って、センターパネル部１１の上面と略平行に延びる直線状に形成し、この下面１６ｅと反対側の上面１６ｄのうち、その幅方向中央部のみを、缶蓋１０の軸線方向上方に向けて凸とした楕円状の円弧形状としてもよい。
【００２４】
さらに、図２（ｄ）に示すように、図２（ｂ）に示す押付け端面１６ｄにおいて、その中央部に、人差し指若しくは中指の指先が入る程度の大きさの正面視楕円状の凹部１６ｇを形成してもよい。さらに、この場合、凹部１６ｇの表面を粗面化してもよい。
さらにまた、この図２（ｄ）において、凹部１６ｇに代えて、この部分に対応する位置のみをセンターパネル部１１の上面に直交する平坦面に形成してもよい。
【００２５】
また、図１に示す押付け端面１６ｄに代えて、図３に示すように、この端面１６ｄの幅方向中央部を、タブ１６の前記一端部１６ａ側に向けて曲線状に凹ませるようにしてもよい。そして、指かけ凹部１８のうち、押付け端面１６ｄに沿う部分１８ａを、タブ１６の前記一端部１６ａ側に向けて曲線状に突出させるようにしてもよい。なお、図３に示すような、押付け端面１６ｄの曲率半径は、人差し指若しくは中指の指先に沿うような大きさに設定される。さらに、押付け端面１６ｄを前記曲線状に凹ませた場合においても、その正面視形状は、図２（ａ）〜（ｄ）等と同様としてもよい。
【００２６】
さらに、前記実施形態の缶蓋１０は、陽圧缶および陰圧缶の別を問わず適用可能であるが、この缶蓋１０が特に陽圧缶に用いられると、この缶蓋１０の搬送性を阻害させることなく、良好な開栓性を具備させることができる。
【産業上の利用可能性】
【００２７】
良好な開栓性が具備される缶蓋を提供する。
【図面の簡単な説明】
【００２８】
【図１】本発明の一実施形態として示した缶蓋の概略平面図である。
【図２】図１および図３に示す押付け端面の平面図である。
【図３】本発明の他の実施形態として示した缶蓋の概略平面図である。
【図４】本発明の缶蓋の作用効果を検証した試験結果を示す図である。
【符号の説明】
【００２９】
１０、２０  缶蓋
１１  センターパネル部
１２  チャック壁部
１３  シーミングパネル部
１４  リベット
１５  開口部
１５ａ  スコア
１６  タブ
１６ａ  一端部
１６ｄ  端面
【図１】
2006315747.tif 000003
【図２】
2006315747.tif 000004
【図３】
2006315747.tif 000005
【図４】
2006315747.tif 000006